(57)【要約】【課題】  現在視聴中の番組が属する放送網とは別の放送網に属するチャンネルで放送される番組の番組表を、現在視聴中の番組の映像信号とあわせて出力するデジタル放送受信装置及び方法を提供する。【解決手段】  番組表処理部２は、裏番組の番組表情報の要求を示すコマンドが通知されると、まず現在時刻を取得し、次に、先に通知されたコマンドに指定されたネットワークのチャンネルのEIT（schedule）をメモリ７またはフラッシュメモリ８から取得する。  次に、番組表処理部２は、取得した現在時刻と、EIT（schedule）中の開始時刻start_timeと継続時間durationとを比較して、ユーザによって指定されたチャンネルの現在放送中の番組情報を含む番組表情報を作成し、その番組表情報をデコーダ４へ供給する。  デコーダ４は、現在視聴中のチャンネルの映像信号を復号しつつ、番組表処理部２から供給された番組表情報を複合した映像信号に合成して出力する。【選択図】  図１
2009081891.tif 000002
【特許請求の範囲】
【請求項１】
複数の放送網のデジタル放送信号をそれぞれ受信する受信手段と、
受信された複数の前記放送網それぞれのデジタル放送信号から、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
【請求項２】
複数の放送網のデジタル放送信号をそれぞれ受信する受信手段と、
受信された複数の前記放送網それぞれのデジタル放送信号から、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻より後に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
【請求項３】
複数の放送網のデジタル放送信号をそれぞれ受信する受信ステップと、
前記受信ステップにて受信された複数の前記放送網それぞれのデジタル放送信号から、多重化された映像、音声、および各放送網で所定の期間中に放送予定の番組の番組配列情報を含む付加情報の各信号を分離抽出する分離ステップと、
各デジタル放送信号から分離抽出された前記付加情報に含まれている前記番組配列情報を順次記憶手段に記憶する記憶ステップと、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻に放送が予定されている番組の番組情報を含む番組表情報を作成する番組表作成ステップと、
前記分離ステップにて分離した前記映像信号と前記音声信号を復号すると共に、前記番組表作成ステップで作成した前記番組表情報を復号した前記映像信号に合成して、出力する復号ステップと、
を備えることを特徴とするデジタル放送受信方法。
【請求項４】
複数の放送網のデジタル放送信号をそれぞれ受信する受信ステップと、
前記受信ステップにて受信された複数の前記放送網それぞれのデジタル放送信号から、多重化された映像、音声、および各放送網で所定の期間中に放送予定の番組の番組配列情報を含む付加情報の各信号を分離抽出する分離ステップと、
各デジタル放送信号から分離抽出された前記付加情報に含まれている前記番組配列情報を順次記憶手段に記憶する記憶ステップと、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻より後に予定されている番組の番組情報を含む番組表情報を作成する番組表作成ステップと、
前記分離ステップにて分離した前記映像信号と前記音声信号を復号すると共に、前記番組表作成ステップで作成した前記番組表情報を復号した前記映像信号に合成して、出力する復号ステップと、
を備えることを特徴とするデジタル放送受信方法。
【発明の詳細な説明】
【技術分野】
【０００１】
本発明は、デジタル放送信号を受信し、選択されたチャンネルの映像および音声信号を
出力するとともに、デジタル放送信号に含まれる番組情報を加工して出力するデジタル放
送受信装置及びデジタル放送受信方法に関する。
【背景技術】
【０００２】
従来のデジタル放送受信機は、あるチャンネルの番組を視聴中にその時間帯に放送され
ている他のチャンネルの番組（裏番組）を見るために、テレビ画面上に小さく裏番組の番
組表を表示させ、裏番組を表示させる機能を有するものがあった。これらは、デジタル放
送信号に含まれる現在・次番組の番組配列情報（Event Information Table（以降、EITと
称す）present/following）を利用するのが一般的である。
【０００３】
具体的には、EIT（present/following）には、現在と次に放送予定の番組情報が記述さ
れており、ＢＳデジタル放送波やＣＳデジタル放送波には複数局のEIT（present/followi
ng）が挿入され送出されているため、ユーザがある１つの放送局の番組を視聴していれば
、現在放送されている他局の番組情報を取得することは容易に可能である。また、EIT（p
resent/following）は、その再送周期が短いため、常時取得して監視することで現在放送
中の番組を特定して裏番組表を作成することも可能である。
【０００４】
一方、デジタル放送受信機にデジタルチューナを複数搭載しておき、１つのデジタルチ
ューナが受信中の番組が視聴されている時に、他のデジタルチューナを利用して裏番組の
映像及び音声の情報からシーンを判断し、ユーザの嗜好に合った現在放送中の番組を検出
すると、ユーザに通知してダブル画面で表示させたり、視聴中の画面に影響を及ぼさずに
バックグラウンドで録画させたりする機能を有するものがあった（例えば、特許文献１）
。
【０００５】
ところで、デジタル放送波の多様化によって、デジタル放送受信機が受信可能な放送網
（以降、ネットワークと称す）が複数存在するようになると、従来のデジタル放送受信機
の構成では、他の放送波のみで送出されている他のネットワークのEIT（present/followi
ng）を取得するのは困難であり、現在視聴中のネットワークのみの裏番組情報しか提示で
きないという問題があった。
【０００６】
他のネットワークの番組についての現在放送中の裏番組を確認する手段として、週間番
組表と呼ばれる１週間程度の番組情報を持つ番組表画面を提示することが可能である。し
かしながら、この方法では現在放送中の番組をユーザ自身が判断する必要があり、さらに
画面の大部分を番組表で占められるため、視聴に影響があった。また、視聴に影響が無い
ように番組表画面を提示する手段として、デジタル放送受信機に番組表データを送信する
ユニットを搭載し、それとは別に番組表データを受信するユニットを持つ表示装置を利用
することで番組表データを送受信し、操作できるようにする機能を持つものがあった（例
えば、特許文献２）。
【０００７】
また、地上波デジタル放送では、従来のデジタル放送であるＢＳデジタル放送やＣＳデ
ジタル放送と異なり、各放送局が自局で放送予定の番組スケジュールデータのみを送出し
ている。これは、ネットワークを構成する単位がＢＳデジタル放送やＣＳデジタル放送で
は複数の放送局を束ねて１つのネットワークを構成していたのに対して、地上波デジタル
放送では１つの放送局が１つのネットワークを構成するためである。
【０００８】
ＢＳデジタル放送やＣＳデジタル放送では、上述の通り、同じネットワークに属する放
送局は、他局の放送予定の番組スケジュールデータも送出しており、そのデータを利用す
ることで同一ネットワーク内の全放送局の番組表を表示することが可能であった。また、
現在放送中の番組情報についても自局のものだけでなく、他局のEIT（present/following
）も送出していた。
【０００９】
しかし、地上波デジタル放送では、それぞれの放送局でネットワークが異なるため、他
局のEIT（present/following）を送出していない。そのため、従来技術で実現していた方
法で現在放送中の裏番組表を作成することは困難であった。
【先行技術文献】
【特許文献】
【００１０】
【特許文献１】特開２００１−２１１３９８号公報
【特許文献２】特開２０００−２２４５０４号公報
【発明の概要】
【発明が解決しようとする課題】
【００１１】
本発明は、現在視聴中の番組が属する放送網とは別の放送網に属するチャンネルで放送
される番組の番組表を、現在視聴中の番組の映像信号とあわせて出力するデジタル放送受
信装置及びデジタル放送受信方法を提供することを目的とする。
【課題を解決するための手段】
【００１２】
上記目的を達成するために、本発明は下記の装置及び方法を提供するものである。
(1)  複数の放送網のデジタル放送信号をそれぞれ受信する受信手段と、
受信された複数の前記放送網それぞれのデジタル放送信号から、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
(2)  複数の放送網のデジタル放送信号をそれぞれ受信する受信手段と、
受信された複数の前記放送網それぞれのデジタル放送信号から、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻より後に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
(3)  複数の放送網のデジタル放送信号をそれぞれ受信する受信ステップと、
前記受信ステップにて受信された複数の前記放送網それぞれのデジタル放送信号から、多重化された映像、音声、および各放送網で所定の期間中に放送予定の番組の番組配列情報を含む付加情報の各信号を分離抽出する分離ステップと、
各デジタル放送信号から分離抽出された前記付加情報に含まれている前記番組配列情報を順次記憶手段に記憶する記憶ステップと、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻に放送が予定されている番組の番組情報を含む番組表情報を作成する番組表作成ステップと、
前記分離ステップにて分離した前記映像信号と前記音声信号を復号すると共に、前記番組表作成ステップで作成した前記番組表情報を復号した前記映像信号に合成して、出力する復号ステップと、
を備えることを特徴とするデジタル放送受信方法。
(4)  複数の放送網のデジタル放送信号をそれぞれ受信する受信ステップと、
前記受信ステップにて受信された複数の前記放送網それぞれのデジタル放送信号から、多重化された映像、音声、および各放送網で所定の期間中に放送予定の番組の番組配列情報を含む付加情報の各信号を分離抽出する分離ステップと、
各デジタル放送信号から分離抽出された前記付加情報に含まれている前記番組配列情報を順次記憶手段に記憶する記憶ステップと、
現在時刻を取得すると共に、現在受信指定されているチャンネルの放送網とは異なる指定された放送網の前記番組配列情報、または現在受信指定されているチャンネルの放送網とは異なる指定された放送網の指定されたチャンネルの前記番組配列情報を前記記憶手段から取得し、当該番組配列情報と当該現在時刻とに基づいて、当該現在時刻より後に予定されている番組の番組情報を含む番組表情報を作成する番組表作成ステップと、
前記分離ステップにて分離した前記映像信号と前記音声信号を復号すると共に、前記番組表作成ステップで作成した前記番組表情報を復号した前記映像信号に合成して、出力する復号ステップと、
を備えることを特徴とするデジタル放送受信方法。
また、このデジタル放送受信装置は、複数の放送網それぞれのデジタル放送信号を受信し、指定された放送網の指定されたチャンネルの映像信号および音声信号を出力するデジタル放送受信装置であって、全ての前記放送網それぞれのデジタル放送信号から、多重化された映像、音声、および各放送網で所定の期間中に放送予定の番組の番組配列情報を含む付加情報の各信号を分離抽出する信号分離手段と、各デジタル放送信号から分離抽出された前記付加情報に含まれている前記番組配列情報を記憶する記憶手段と、現在出力中であり、現在出力されているデジタル放送信号から分離抽出された番組の前記付加情報から現在時刻を取得し、指定された放送網の前記番組配列情報、または指定された放送網の指定されたチャンネルの前記番組配列情報を前記記憶手段から取得し、当該番組配列情報と当該現在時刻とに基づいて、指定された放送網において当該現在時刻以降に予定されている番組配列を含む番組表情報を作成する番組表作成手段と、前記信号分離手段から供給される前記映像信号と前記音声信号を復号し、さらに前記番組表作成手段が作成した前記番組表情報を復号した前記映像信号に合成して、出力する復号手段とを備えることを特徴とする。
【発明の効果】
【００１３】
本発明によれば、現在視聴中の番組をそのまま表示しつつ、他のネットワークに属する
チャンネルの番組表（裏番組表）を表示することができるので、デジタル放送受信装置に
対するユーザの利便性が向上する。
【図面の簡単な説明】
【００１４】
【図１】デジタル放送受信機の機能ブロック図である。
【図２】デジタル放送受信機の動作を示すフローチャートである。
【図３】Time Offset Tableのデータ構造を示す図である。
【図４】Event Information Table（schedule）のデータ構造を示す図である。
【図５】視聴中の番組画面に裏番組の番組表を表示した画面例である。
【発明を実施するための形態】
【００１５】
本発明の実施形態を、図１〜図５を用いて説明する。
【００１６】
本実施形態におけるデジタル放送受信機１は、番組表処理部２、デマルチプレクサ３（
demultiplexer以降、ＤＥＭＵＸ３と称す）、デコーダ４、操作取得部５、チューナ部６
、メモリ７、およびフラッシュメモリ８から構成される。さらにチューナ部６は、ＢＳデ
ジタルチューナ１１、ＣＳデジタルチューナ１２、および地上波デジタルチューナ１３か
ら構成される。
【００１７】
番組表処理部２は、EIT（schedule）と現在時刻とに基づいて、ユーザが視聴していな
いネットワークの番組配列を含む番組表情報を作成する機能を有する。
【００１８】
ＤＥＭＵＸ３は、MPEG2-TS（Moving Picture Experts Group phase 2-Transport Strea
m）に多重化された映像、音声、および付加情報の各信号を分離し、映像信号および音声
信号をデコーダ４へ供給し、EIT（schedule）を含む付加情報の信号を番組表処理部２へ
供給する機能を有する。
【００１９】
デコーダ４は、ＤＥＭＵＸ３から供給される映像信号と音声信号を復号し、さらに番組
表処理部２からの番組表情報を復号した映像信号に合成して、それぞれ出力する機能を有
する。
【００２０】
操作取得部５は、ユーザのリモートコントローラ操作またはスイッチ操作によって入力
されたコマンドを取得し、ＤＥＭＵＸ３および番組表処理部２にその取得したコマンドを
通知する機能を有する。
【００２１】
チューナ部６のＢＳデジタルチューナ１１、ＣＳデジタルチューナ１２、および地上波
デジタルチューナ１３は、それぞれＢＳデジタル放送波、ＣＳデジタル放送波、地上デジ
タル放送波の各放送波を受信し、MPEG2-TSをＤＥＭＵＸ３に供給する機能を有する。
【００２２】
メモリ７およびフラッシュメモリ８は、EIT（schedule）と番組表処理部２が作成した
番組表情報を記憶する機能を有する。当然のことながら、フラッシュメモリ８に記録され
た番組表情報は、デジタル放送受信機１の電源がＯＦＦされても、その番組表情報を保持
する。
【００２３】
次に、デジタル放送受信機１の動作について、図２のフローチャートに基づいて説明す
る。
【００２４】
まず、デジタル放送受信機１のＢＳデジタルチューナ１１、ＣＳデジタルチューナ１２
、および地上波デジタルチューナ１３は、それぞれ放送波を受信し、それぞれMPEG2-TSを
ＤＥＭＵＸ３に供給する。ＤＥＭＵＸ３は、各チューナ１１〜１３からのMPEG2-TSに多重
化された付加情報の信号を分離し、番組表処理部２に供給する。また、番組表処理部２は
、各放送波に含まれていた付加情報の信号からEIT（schedule）を抽出し、メモリ７また
はフラッシュメモリ８に記録する（ステップＳ０１）。ここまでの処理は、デジタル放送
受信機１の電源がＯＮになっている間、ユーザが視聴中のネットワーク（チャンネル）に
係らず定期的に繰り返し、メモリ７またはフラッシュメモリ８に記録されているEIT（sch
edule）を最新のものに更新する。
【００２５】
ユーザがリモートコントローラまたはスイッチを操作し、裏番組の番組表情報の要求を
入力すると（ステップＳ０２）、操作取得部５は、その裏番組の番組表情報の要求を示す
コマンドを番組表処理部２に通知する。このコマンドには、ネットワークおよびネットワ
ーク内でのチャンネルを示す情報が含まれる。
【００２６】
番組表処理部２は、裏番組の番組表情報の要求を示すコマンドが通知されると、まず現
在時刻を取得する（ステップＳ０３）。図３に、MPEG2-TSに含まれる時刻情報（TOT：tim
e offset table）のデータ構造を示す。このTOTには、現在時刻を示すJST-timeの項目値
が記録されており、番組表処理部２は、ＤＥＭＵＸ３によって分離供給される付加情報の
信号からこのTOTを抽出し、現在時刻を取得する。
【００２７】
次に、番組表処理部２は、先に通知されたコマンドに指定されたネットワークおよび指
定されたネットワーク内でのチャンネルのEIT（schedule）をメモリ７またはフラッシュ
メモリ８から取得する（ステップＳ０４）。図４に、EIT（schedule）のデータ構造を示
す。このEIT（schedule）には、番組の開始時刻を示すstart_timeと、番組の継続時間を
示すdurationの項目値がそれぞれ記録されており、番組表処理部２は、先に取得した現在
時刻JST-timeと、EIT（schedule）中の開始時刻start_timeと継続時間durationとを比較
して、ユーザによって指定されたチャンネルの現在放送中の番組情報（ネットワーク名、
チャンネル番号、番組名、開始時刻等）を含む番組表情報を作成し（ステップＳ０５）、
メモリ７またはフラッシュメモリ８に記録する。
【００２８】
番組表処理部２は、開始時刻start_timeと、開始時刻start_timeに継続時間durationを
加算して得られる終了時刻との間に、現在時刻JST-timeが位置するものを現在放送中の番
組と判断し、裏番組の情報を取得し、番組表情報を作成する。例えば、現在時刻JST-time
が１９時３５分であれば、開始時刻start_timeが１９時００分、継続時間durationが４５
分のような番組が現在放送中の裏番組として判断される。
【００２９】
また、この時、番組表処理部２は、現在放送中の裏番組に続いて放送される番組の情報
も含めて番組表情報を作成するようにしても良い。
【００３０】
また、番組表処理部２は、番組表情報を作成すると、その番組表情報をデコーダ４へ供
給し、デコーダ４は、現在視聴中のチャンネルの映像信号を復号しつつ、番組表処理部２
から供給された番組表情報を複合した映像信号に合成して出力し、テレビ画面に裏番組の
番組表が表示される（ステップＳ０６）。図５に、裏番組の番組表を表示した画面例を示
す。図５は、地上波デジタル放送のチャンネル１４０を視聴中のところに、ＢＳデジタル
放送のチャンネル１０１の番組表（図５中、（Ａ）部）を表示している。このように、現
在視聴中の番組とは別のネットワークに属するチャンネルの番組表を表示することができ
る。
【００３１】
なお、本実施形態においては、複数のチューナに対して１つのＤＥＭＵＸ３でMPEG2-TS
の分離を行っているが、複数のチューナそれぞれに対して個別のＤＥＭＵＸ３を用意して
、それぞれでMPEG2-TSの分離を行っても良い。
【符号の説明】
【００３２】
１  デジタル放送受信機
２  番組表処理部
３  デマルチプレクサ（ＤＥＭＵＸ）
４  デコーダ
５  操作取得部
６  チューナ部
７  メモリ
８  フラッシュメモリ
１１  ＢＳデジタルチューナ
１２  ＣＳデジタルチューナ
１３  地上波デジタルチューナ
【図１】
2009081891.tif 000003
【図２】
2009081891.tif 000004
【図３】
2009081891.tif 000005
【図４】
2009081891.tif 000006
【図５】
2009081891.tif 000007